(57)【要約】【課題】所要数の被収納物を吊下させることができる一方、奥行き寸法がより小さい収納器を提供する。【解決手段】後壁１ｃの上縁近傍の位置に固定した枢軸３によって、底壁１ａの奥行き寸法より長い長さ寸法の支持部材２の基端部が、その先端部を底壁１ａ側へ傾倒させる様態で、上下方向へ揺動自在に軸支してあり、支持部材２はエアスプリング１０，１０によって、支持部材２の先端が本体１の底壁１ａから離隔する方向へ付勢されるようになっている。【選択図】図１
2006230759.tif 000002
【特許請求の範囲】
【請求項１】
被収納物を出し入れする開口を設けてなり、内部に被収納物を収納する本体と、この本体の内部に収納された被収納物を支持すべく前記開口に臨ませて本体の奥行き方向へ延設してなり、前記開口に臨む先端部が上下方向へ揺動可能に配置した支持部材と、この支持部材の長手方向へ適宜の距離を隔てて垂下してあり、被収納物を吊下げる複数の吊下部材とを備えた収納器において、
前記支持部材の長さ寸法は、本体の奥行き寸法より長くしてあり、衣類を収納する際は、前記支持部材をその先端部が本体の底部側へ傾倒した姿勢になし、被収納物を出し入れする際は、前記支持部材をその先端部を引き上げた姿勢になすようにしてあることを特徴とする収納器。
【請求項２】
更に、支持部材の先端部が前記本体の底部から離隔する方向へ前記支持部材を付勢する付勢部材と、支持部材の先端部が本体の底部側へ傾倒した姿勢で支持部材の揺動を固定する固定部とを備える請求項１記載の収納器。
【請求項３】
更に、支持部材の先端部を引き上げた姿勢で前記支持部材を保持する保持部材を備える請求項１又は２記載の収納器。
【請求項４】
前記吊下部材は、被収納物を吊下げる吊下具を係止させるための係止部と、この係止部を前記支持部材の長手方向と交わる方向へ進退支持する進退支持部とを具備する請求項１から３のいずれかに記載の収納器。
【発明の詳細な説明】
【技術分野】
【０００１】
本発明は、例えば、タンス又はクローゼット、衣服を収納する衣類収納家具というように、被収納物を収納する収納器に関する。
【背景技術】
【０００２】
収納器の一例たる衣類収納家具として、タンスが使用されている。かかるタンスにあっては、対向配置した両側壁間に支持バーが架設してあり、この支持バーに衣類を掛けたハンガを、当該衣類の前後身頃が前記両側壁に対向するように吊下させていたため、多くの衣類をそれぞれハンガによって前記支持バーに吊下させる場合、衣類の出し入れの際に、相隣る衣類との接触によって衣類に皺が寄るので、これを防止しつつ衣類を出し入れすることが比較的困難であった。
【０００３】
そのため、後記する特許文献１には次のようなタンスが開示されている。すなわち、タンスは、前部開口を観音開の扉で塞止してなる縦長直方体殻状の本体を備えており、この本体内の上部両内側面にそれぞれ、支持レールを本体の奥行き方向へ互いに平行に固定してある。両支持レールの間には矩形の枠体が挿入してあり、枠体は両支持レールによって、本体の外側まで引き出し可能に支持されている。
【０００４】
この枠体の一側部であって枠体の後部近傍の位置には、枠体の奥行き寸法より少し短いアームの一端が鉛直方向へ回動自在に軸支してあり、該アームには、ネクタイを掛け回す棒状の複数のフック部が、アームの長手方向へ適宜の間隔で、前記枠体の他側部がわ方向へアームと直交するように固定してある。前記本体の一内側面の前部開口近傍であって、前記アームの枢軸の高さ位置より少し低い高さ位置には、前記アームを案内するガイドピンが突設してあり、ガイドピンによってアームの他端側が本体の底面と略平行をなす姿勢で摺動自在に担持されている。また、前記枠体の前部には、枠体を出し入れするための棒状の取手が垂下してある。
【０００５】
このようなタンスでは、ユーザは取手を把持して、前記両支持レールに摺動自在に支持された枠体を本体の内側から外側へ引き出す。このとき、ガイドピンにて担持されたアームの他端側は、ガイドピン上を摺動しつつ枠体と共に引き出され、アームの支点位置がガイドピンを超えると、軸支されたアームの一端が回動し、アームの他端側が傾倒して各フック部が階段状になり、各フック部に掛け回した各ネクタイの選択及び任意のフック部に対するネクタイの出し入れを容易に行なうことができる。
【０００６】
そして、ユーザが取手を把持して枠体を本体の内部へ押し込むと、傾倒したアームの他端側がガイドピン上を摺動担持されて、本体の底面と略平行をなす元の姿勢に復帰し、その姿勢で、に掛け回した各ネクタイが本体内に収納されていた。
【０００７】
【特許文献１】特開２０００−２３６９６１号公報（図２）
【発明の開示】
【発明が解決しようとする課題】
【０００８】
しかしながら、このような従来のタンスにあっては、フック部の数によってアームの長さが定まり、このアームの長さによって本体の奥行き寸法が定まるので、適当な数の衣類を吊下させ得るべく、所要数のフック部をアームに設けた場合、本体の奥行き寸法が比較的大きい。この場合、タンスを設置する部屋内にタンスを、タンスの本体の背面が壁面に当接するように配置しても、当該タンスの前面側が部屋内に大きく突出するので、部屋内が狭くなるという問題があった。一方、タンスの本体の奥行き寸法を小さくすると、アームが相対的に短く、フック部の数が相対的に少なくなるので、所要数の衣類を吊下させることができない。
【０００９】
本発明は、斯かる事情に鑑みてなされたものであって、所要数の被収納物を吊下させることができる一方、奥行き寸法がより小さい収納器を提供する。
【課題を解決するための手段】
【００１０】
請求項１記載の本発明は、被収納物を出し入れする開口を設けてなり、内部に被収納物を収納する本体と、この本体の内部に収納された被収納物を支持すべく前記開口に臨ませて本体の奥行き方向へ延設してなり、前記開口に臨む先端部が上下方向へ揺動可能に配置した支持部材と、この支持部材の長手方向へ適宜の距離を隔てて垂下してあり、被収納物を吊下げる複数の吊下部材とを備えた収納器において、前記支持部材の長さ寸法は、本体の奥行き寸法より長くしてあり、衣類を収納する際は、前記支持部材をその先端部が本体の底部側へ傾倒した姿勢になし、被収納物を出し入れする際は、前記支持部材をその先端部を引き上げた姿勢になすようにしてあることを特徴とする。
【００１１】
請求項２記載の本発明は、更に、支持部材の先端部が前記本体の底部から離隔する方向へ前記支持部材を付勢する付勢部材と、支持部材の先端部が本体の底部側へ傾倒した姿勢で支持部材の揺動を固定する固定部とを備えることを特徴とする。
【００１２】
請求項３記載の本発明は、更に、支持部材の先端部を引き上げた姿勢で前記支持部材を保持する保持部材を備えることを特徴とする。
【００１３】
請求項４記載の本発明は、前記吊下部材は、被収納物を吊下げる吊下具を係止させるための係止部と、この係止部を前記支持部材の長手方向と交わる方向へ進退支持する進退支持部とを具備することを特徴とする。
【発明の効果】
【００１４】
請求項１記載の本発明では、被収納物を出し入れする開口を設けてなり、内部に被収納物を収納する本体と、この本体の内部に収納された被収納物を支持すべく前記開口に臨ませて本体の奥行き方向へ延設してなり、前記開口に臨む先端部が上下方向へ揺動可能に配置した支持部材と、この支持部材の長手方向へ適宜の距離を隔てて垂下してあり、被収納物を吊下げる複数の吊下部材とを備え、前記支持部材の長さ寸法は、本体の奥行き寸法より長くしてあり、被収納物を収納する際は、前記支持部材をその先端部が本体の底部側へ傾倒した姿勢になし、被収納物を出し入れする際は、前記支持部材をその先端部を引き上げた姿勢になすようにしてある。このように本体の底部の奥行き寸法より長い長さ寸法の支持部材を、本体の底部側へ傾倒させて、支持部材の各吊下部材に吊下げた被収納物を本体内に収納するため、本体の奥行き寸法が小さい場合であっても、所要の長さ寸法の支持部材を配設することができ、従って、本体内に所要数の被収納物を収納することができる。
【００１５】
また、小さい奥行き寸法で所要数の被収納物を収納することができるため、本体を配設した部屋内への突出量を可及的に少なくすることができ、当該部屋を広く使用することができる。また、本体の幅寸法は、被収納物の幅寸法より少し大きい寸法にすることができるため、設置スペースを可及的に狭くすることができ、例えば部屋内のデッドスペースに嵌合させる様態で配置することができ、当該部屋内のスペースを有効に利用することができる。更に、本体は奥行き寸法が小さいので、柱が突出した壁面の凹部に、柱の突出寸法に合わせた奥行き寸法の本体を、当該凹部の全領域を覆うように嵌合配置することによって、当該凹部を柱の突出面と面一な壁状にすることもでき、部屋内のスペースを有効に利用することができると共に、部屋内のデザインも向上させることができる。
【００１６】
請求項２記載の本発明では、更に、支持部材の先端部が前記本体の底部から離隔する方向へ前記支持部材を付勢する付勢部材と、支持部材の先端部が本体の底部側へ傾倒した姿勢で支持部材の揺動を固定する固定部とを備えるため、被収納物を出し入れすべく支持部材をその先端部を引き上げた姿勢になした状態で、誤って支持部材を離してしてしまった場合でも、支持部材は付勢部材によって本体の底部から離隔する方向へ付勢されて、挟み込みといった事故が防止され安全である。
【００１７】
また、収納状態の支持部材を引き上げる際、前記付勢部材によって引き上げ方向へ付勢されるので、支持部材の引き上げ操作を容易に行なうことができる。
【００１８】
一方、支持部材は固定部によって、先端部が本体の底部側へ傾倒した姿勢の収納状態において揺動を固定されているため、被収納物を出し入れすべく、本体の開口を塞ぐ扉を開けたときに、支持部材の跳ね上がりが防止され、安全である。
【００１９】
請求項３記載の本発明では、更に、支持部材の先端部を引き上げた姿勢で前記支持部材を保持する保持部材を備えるため、支持部材を支持せずに被収納物の出し入れを行なうことができ、当該出し入れ操作を容易に行なうことができる。
【００２０】
請求項４記載の本発明では、前記吊下部材は、被収納物を吊下げる吊下具を係止させるための係止部と、この係止部を前記支持部材の長手方向と交わる方向へ進退支持する進退支持部とを具備するため、支持部材の長手方向へ距離を隔てて配設された各吊下部材に吊下げられた被収納物を、順に進退させることができ、これによって、各被収納物を視認して、所要の被収納物を容易に選択することができる。
【発明を実施するための最良の形態】
【００２１】
本発明に係る収納器は、被収納物を出し入れする開口を設けてなり、内部に被収納物を収納する本体と、この本体の内部に収納された被収納物を支持すべく前記開口に臨ませて本体の奥行き方向へ延設してなり、前記開口に臨む先端部が上下方向へ揺動可能に配置した支持部材と、この支持部材の長手方向へ適宜の距離を隔てて垂下してあり、被収納物を吊下げる複数の吊下部材とを備え、前記支持部材の長さ寸法は、本体の奥行き寸法より長くしてあり、被収納物を収納する際は、前記支持部材をその先端部が本体の底部側へ傾倒した姿勢になし、被収納物を出し入れする際は、前記支持部材をその先端部を引き上げた姿勢になすようにしてある。
【００２２】
更に、支持部材の先端部が前記本体の底部から離隔する方向へ前記支持部材を付勢する付勢部材と、支持部材の先端部が本体の底部側へ傾倒した姿勢で支持部材の揺動を固定する固定部とを備える。この付勢部材は、コイルバネ、板バネ、空気バネ、オイルバネ等を用いることができ、付勢部材によって支持部材の基端部又は先端部を付勢するようにする。
【００２３】
更に、支持部材の先端部を引き上げた姿勢で前記支持部材を保持する保持部材を備える。保持部材による支持部材の保持様態としてはどのような様態でも採用でき、例えば、支持部材を吊る様態、頬杖をつく様態、又は、脚で支持する様態にすることができる。
【００２４】
一方、前述した吊下部材は、被収納物を吊下げるハンガ等の吊下具を係止させるための係止部と、この係止部を前記支持部材の長手方向と交わる方向へ進退支持する進退支持部とを具備する。この係止部は環体で構成することができる。また、進退支持部は、二重筒、又は、距離を隔てて配置した滑車間に紐状部材を掛け回して攻勢することができる。
【００２５】
以下、本発明を図面に基づいて詳述する。
【実施例１】
【００２６】
図１は、本発明に係る収納器の一例たるタンスの衣類収納状態における内部構成例を示す斜視図である。また、図２及び図３は、図１に示したタンスの使用状態を示す側断面図及び斜視図である。図１〜図３に示した如く、タンスは被収納物たる衣類を収納する本体１を備えている。本体１は、長方形板状の底壁１ａの両短辺縁部上にそれぞれ縦長長方形板状の側壁１ｂ，１ｂを立設すると共に、底壁１ａの一長辺縁部上に縦長長方形板状の後壁１ｄを立設し、側壁１ｂ，１ｂ及び後壁１ｄの上縁に前記底壁１ａと同じ外寸の天井壁１ｃを底壁１ａと対向するように固着してなり、本体１前部の開口１１は、本体１の両側壁部１ｂ，１ｂに観音開き状に取り付けた扉１ｅ，１ｅによって開閉自在に塞止してある。
【００２７】
前記後壁１ｃ内面の幅方向の略中央線上であって、後壁１ｃの上縁近傍の位置に、短寸の枢軸３がその中心軸を後壁部１ｃの幅方向へ向けて、底壁１ａと平行に固定してあり、該枢軸３によって、底壁１ａの奥行き寸法より長い長さ寸法の帯板状の支持部材２の基端部が、その先端部を底壁１ａ側へ傾倒させる様態で、上下方向へ揺動自在に軸支してある。この支持部材２の先端近傍には、両側壁１ｂ，１ｂの間の寸法より少し短い管状の横バー７が、支持部材２と略直交するように取付けてあり、また、支持部材２の先端には、ユーザが把持すべく、例えば環状の把持部４が固定してある。
【００２８】
前述した横バー７の両端と本体１の後壁部１ｃとの間には、例えばシリンダ１０ａ，１０ａから空気圧によってロッド１０ｂ，１０ｂを伸出させるエアスプリング１０，１０が、揺動自在に架設してあり、該エアスプリング１０，１０によって支持部材２は、支持部材２の先端が本体１の底壁１ａから離隔する方向へ付勢されるようになっている。また、前述した枢軸３には、前記エアスプリング１０，１０を補助するコイルバネ２０が外嵌してあり、支持部材２はこのコイルバネ２０によっても、支持部材２の先端が本体１の底壁１ａから離隔する方向へ付勢されるようになっている。
【００２９】
ところで、前述した横バー７の周面は、当該横バー７の中心軸回りに回動し得るようになっており、横バー７の周面には、それを回動させるべく、前述した把持部４に対向配置させたコ字状のレバー８の両端が連結してある。そして、横バー７は、把持部４及びレバー８を把持して、レバー８を把持部４側へ傾動させた場合、その周面が正回動し、レバー８を解放させた場合、図示しないバネ力によって元の位置へ逆回動するようになっている。
【００３０】
この横バー７の両端近傍の周面にはそれぞれ、ロック部１３を構成するフック９，９の基端部が固着してあり、支持部材２の先端を本体１の底壁１ａ側へ傾倒させた衣類収納状態では図１に示した如く、両フック９，９は、シリンダ１０ａ，１０ａの先端近傍に突設した係合ピン１２，１２に係合してエアスプリング１０，１０の動作をロックするようにしてある。また、横バー７の両端から、一端を横バー７内に挿入させた端寸のロック用ピン１４（１４）の他端がそれぞれ進退自在に突出させてあり、本体１の両側壁１ｂ，１ｂ内面であって、衣類収納状態におけるロック用ピン１４（１４）に対向する部分に、両ロック用ピン１４（１４）を内嵌させる嵌合凹部（図示せず）がそれぞれ設けてある。そして、図１に示した如く、衣類収納状態では、両嵌合凹部にロック用ピン１４（１４）が内嵌して、支持部材２の揺動をロックしてある。このロック用ピン１４（１４）も前述したレバー８の傾動動作に連動するようにしてあり、レバー８を傾動させた場合、ロック用ピン１４（１４）が横バー７内に退入し、レバー８を解放させた場合、ロック用ピン１４（１４）の他端が横バー７から突出する。
【００３１】
なお、本実施例では、フック９，９を横バー７に取付けた場合について示したが、本発明はこれに限らず、本体１の両側壁１ｂ，１ｂ内面に取付けてもよい。これによって、ロック用ピン１４（１４）及び両嵌合凹部を省くことができる。一方、ロック部１３を、ロック用ピン１４（１４）及び両嵌合凹部だけで構成するようにしてもよい。
【００３２】
また、本実施例では、エアスプリング１０，１０及びコイルバネ２０によって支持部材２を付勢するようにしてあるが、本発明はこれに限らず、いずれか一方を備える構成にしてもよい。エアスプリング１０，１０のみを用いる場合、シリンダ１０ａ，１０ａの取付け位置を、後壁１ｃの底壁１ａ近傍の高さ位置、又は底壁１ａにすればよい。
【００３３】
ところで、前述した支持部材２の下面側には、短寸杆状の複数の吊下バー５，５，…が、支持部材２の長手方向へ適宜の間隔で支持部材２と略直交する様態で取付けてあり、各吊下バー５，５，…には、衣類をハンガに掛けた被収納物Ａ，Ａ，…が、各被収納物Ａ，Ａ，…の衣類の正面が本体１の開口１１を向く姿勢で吊下してある。
【００３４】
図４は、図１に示した支持部材２及び吊下バー５の一部破断正面断面図であり、吊下バー５の構成例を説明するものである。なお、図中、図１に示した部分に対応する部分には、同じ番号を付してある。図４に示した如く、吊下バー５は、外筒５１内に、該外筒５１より短い内筒５２を外筒５１の軸長方向へ摺動自在に内嵌させて二重筒状に構成してなり、外筒５１の周面であって外筒５１の両端近傍の部分をビス等によって支持部材２に連結固定してある。この外筒５１の一端は閉止してあり、外筒５１の他端は、上側部分を閉止してストッパ部５１ａに、また下側部分は半円状の開口部５１ｂにしてある。また、外筒５１の周面の支持部材２とは反対側の部分であって、外筒５１の長手方向の略中央より他端側の領域には、帯状のスリット５１ｃが開設してある。
【００３５】
一方、内筒５２の一端近傍の部分を除く領域は、上側部分を切削して半円筒状にしてあり、この内筒５２の他端近傍であって前記外筒５１のスリット５１ｃに対向する位置に、ハンガを係止させるための環状の係止具５５が前記スリット５１ｃを貫通する様態で垂下してある。
【００３６】
このような吊下バー５にあっては、係止具５５に引っ張り力を与えて内筒５２を外筒５１の他端側へ摺動させ、外筒５１の他端開口部５１ｂから内筒５２の他端側部分を、内筒５２の一端近傍の部分が外筒５１のストッパ部５１ａに当接するまで引き出して、係止具５５を外筒５１の他端から離隔する位置に位置させ、また、それと逆の動作を行なわせることによって、内筒５２を外筒５１内に収納して、係止具５５を外筒５１の長手方向の略中央位置に位置させることができる。
【００３７】
このようなタンスにおいて被収納物Ａを出し入れするには、図２に示した如く、扉１ｅ，１ｅを開ける。このとき、支持部材２がロック部１３によってロックされているため、エアスプリング１０及びコイルバネ２０によって付勢された支持部材２の跳ね上がりが防止され、安全である。
【００３８】
次に、把持部４及びレバー８を把持して、レバー８を把持部４側へ傾倒させることによってロック部１３のロックを解除する。即ち、横バー７の周面を正回動させてフック９，９を係合ピン１２，１２から脱離させると共に、ロック用ピン１４（１４）を横バー７内へ退入させて、ロック用ピン１４（１４）の他端を嵌合凹部から抜出させるのである。このようにワンタッチでロック部１３のロックを解除することができる。そして、この状態で支持部材２を少し引き上げれば、レバー８を解放してもロック部１３が再びロックされることはない。
【００３９】
このようにしてロック部１３のロックを解除した状態で、把持部４を把持して支持部材２を更に引き上げる。このとき、支持部材２はコイルバネ２０によって、支持部材２の先端が本体１の底壁１ａから離隔する方向へ補助付勢されているため、支持部材２の各吊下バー５，５，…にそれぞれ被収納物Ａ，Ａ，…が吊下されている場合であっても、比較的小さな引き上げ力で支持部材２を引き上げることができる。また、支持部材２の引き上げが進行するに連れて、エアスプリング１０，１０による付勢力が支持部材２に印加されるため、より小さな引き上げ力で支持部材２を引き上げることができる。
【００４０】
そして、図３に示した如く、支持部材２が適宜の姿勢（図３に示した場合にあっては略水平姿勢）に位置するまで支持部材２を引き上げ、その状態で、支持部材２の各吊下バー５，５，…に吊下された被収納物Ａ，Ａ，…から所要の被収納物Ａを選択し、当該被収納物Ａを吊下バー５の係止具５５から取り外す。
【００４１】
このとき、図４に示した如く、吊下バー５の係止具５５が内筒５２と共に横方向へスライドするため、支持部材２の奥側の吊下バー５に吊下された被収納物Ａであっても、その被収納物Ａを係止具５５と共に横へスライドさせることによって視認することができ、当該被収納物Ａが選択対象であるか否かを容易に判断することができる。
【００４２】
一方、この状態で誤って把持部４を解放してしまった場合であっても、前述した如くエアスプリング１０，１０及びコイルバネ２０によって支持部材２が付勢されているので、支持部材２が底壁１ａ側へ急激に傾倒することが防止され、安全性が高い。
【００４３】
被収納物Ａの取り外しが終了すると、図２に示した如く、把持部４を把持した状態で、支持部材２を本体１の底壁１ａ側へ傾倒させて、フック９，９を係合ピン１２，１２に係合させると共に、ロック用ピン１４（１４）を対応する嵌合凹部に挿入させ、係止部材２の揺動をロック部１３にてロックする。そして、扉１ｅ，１ｅを閉じる。
【００４４】
このようなタンスにあっては、前述した如く、本体１の底壁１ａの奥行き寸法より長い長さ寸法の支持部材２を、本体１の底壁１ａ側へ傾倒させて、支持部材２の各吊下バー５，５，…に吊下げた被収納物Ａ，Ａ，…を本体１内に収納するため、本体１の奥行き寸法が小さい場合であっても、所要の長さ寸法の支持部材２を配設することができ、従って、本体１内に所要数の被収納物Ａ，Ａ，…を収納することができる。
【００４５】
このように本発明に係るタンスは、小さい奥行き寸法で所要数の衣類を収納することができるため、タンスを設置した部屋内への突出量を可及的に少なくすることができ、当該部屋を広く使用することができる。また、タンスの幅寸法は、衣類の幅寸法より少し大きい寸法にすることができるため、設置スペースを可及的に狭くすることができ、例えば部屋内のデッドスペースに嵌合させる様態で配置することができ、当該部屋内のスペースを有効に利用することができる。更に、本発明に係るタンスは奥行き寸法が小さいので、柱が突出した壁面の凹部に、柱の突出寸法に合わせた奥行き寸法のタンスを、当該凹部の全領域を覆うように嵌合配置することによって、当該凹部を柱の突出面と面一な壁状にすることができ、部屋内のスペースを有効に利用することができると共に、部屋内のデザインも向上させることができる。
【００４６】
なお、図２に示した吊下バー５，５，…にあっては、一列毎に、図４に示した外筒５１及び内筒５２の一端及び他端が互いに逆向きになるように取り付けることもできる。これによって、本体１の両側壁１ｂ，１ｂ方向へ被収容物Ａ，Ａ，…をスライドさせることができる。
【００４７】
また、本実施例では、エアスプリング１０，１０を用いた場合について示したが、本発明はこれに限らず、エアスプリング１０，１０に代えてコイルバネを用いるようにしてもよい。
【００４８】
更に、本実施例では、二重筒状の吊下バー５を用いて被収容物Ａを横方向へスライドさせ得るようにした場合を示したが、本発明はこれに限らず、滑車及び紐状部材又はレール等を用いて構成してもよい。一方、支持部材２は、板材以外に、環状のパイプ材を環状又は長Ｕ字状に成形したものを使用してもよい。
【実施例２】
【００４９】
図５は、実施例２に係るタンスの衣類収納状態における内部構成を示す斜視図であり、付勢手段及びロック手段の構成を変更してある。なお、図中、図１に示した部分に対応する部分には同じ番号を付してその説明を省略する。
【００５０】
図５に示した如く、支持部材２を軸支する枢軸３には、コイルバネ２１が外嵌してあり、該コイルバネ２１によって支持部材２は、その先端が本体１の底壁１ａから離隔する方向へ付勢されている。支持部材２の先端近傍には、支持部材２の跳ね上がりをロックするロック部として、棒材を先端部がＵ字状に曲成させてなる係止部材１５の基端が揺動自在に垂下してあり、係止部材１５の先端は、本体１の内側へ向かって略Ｌ字状に屈曲させてある。本体１の底壁１ａの幅方向の略中央であって、扉１ｅ，１ｅの近傍の位置には、倒立Ｕ字状の止め具１６が立設してあり、係止部材１５の先端を止め具１６内に挿入係止させることによって、支持部材２の跳ね上がりをロックするようになしてある。
【００５１】
このようなタンスにあっては、衣類を出し入れすべく扉１ｅ，１ｅを開けたとき、前同様、支持部材２が係止部材１５及び止め具１６によってロックされているため、コイルバネ２１によって付勢された支持部材２の跳ね上がりが防止され、安全である。
【００５２】
そして、把持部４を把持した状態で、手又は足で係止部材１５の先端を止め具１６から脱離させ、支持部材２が適宜の姿勢に位置するまで支持部材２を引き上げ、その状態で、支持部材２の各吊下バー５，５，…に吊下された複数の被収納物を順次横方向へスライドさせて所要の被収納物を選択し、当該被収納物を吊下バー５から取り外す。被収納物の取り外しが終了すると、把持部４を把持した状態で、支持部材２を本体１の底壁１ａ側へ傾倒させ、係止部材１５の先端を止め具１６に係止させてロックした後、扉１ｅ，１ｅを閉じる。
【００５３】
なお、本実施の形態では、支持部材２の付勢手段としてコイルバネ２１を用いた場合に付いて示したが、本発明はこれに限らず、板バネを用いてもよいことはいうまでもない。
【実施例３】
【００５４】
図６は、実施例３に係るタンスの使用状態を示す斜視図であり、支持部材２を引き上げた姿勢を保持し得るようにしてある。また、図７は、図６に示したタンスの側断面図である。なお、両図中、図２及び図５に示した部分に対応する部分には同じ番号を付してその説明を省略する。
【００５５】
図６及び図７に示した如く、本体１の天井壁１ｃ近傍であって支持部材２に対向する領域には、支持部材２の幅寸法と略同じ幅寸法であり、本体１の奥行き寸法より短い長さ寸法の長方形環状にパイプ材を成形してなるアーム３６が、天井壁１ｃと平行に配設してあり、アーム３６の先端は略直角下方へ屈曲させてある。天井壁１ｃの開口１１側縁から少し距離を隔てた位置には、前記アーム３６を本体１の奥行き方向へ摺動自在に支持する支持具３５が固定してあり、支持具３５とアーム３６の後端との間には、アーム３６を本体１の開口１１より外側へ付勢する第２付勢部材３７が介装してある。
【００５６】
一方、支持部材２の表面であって先端近傍の位置には、側面視がフック形状をなし、前記アーム３６の先端に係合する係合部３１が揺動自在に取付けてある。この係合部３１には、把持部４と対向して傾動可能に配置した第２レバー３０の基端が連結してあり、係合部３１は第２レバー３０が把持部４側に傾動された場合、起立してアーム３６との係合が解放されるようになっている。
【００５７】
このようなタンスにあっては、本体１の扉１ｅ，１ｅを開いた場合、第２付勢部材３７の付勢によってアーム３６が、扉１ｅ，１ｅの開放動作に追従して開口１１の外側へ進出する。そして、前述した如く、ロック部を構成する係止部材１５及び止め具１６のロックを解除すると共に、把持部４を把持して支持部材２を引き上げ、アーム３６の先端を係合部３１の傾斜した頭部に当接させる。係合部３１は図示しないバネによって、その頭部が支持部材２側へ付勢されており、支持部材２を更に引き上げた場合、係合部３１の頭部がアーム３６の先端によって支持部材２から離隔する方向へ揺動し、アーム３６の先端が係合部３１の頭部先端を通過すると、前記バネの付勢によって係合部３１の頭部がアーム３６の先端に係合するため、アーム３６によって支持部材２が横姿勢に保持される。
【００５８】
これによって、把持部４を把持しなくても支持部材２が横姿勢に保持されるため、被収納物の選択及び出し入れをより容易に行なうことができる。
【００５９】
被収納物の出し入れが終了すると、把持部４を把持すると共に、第２レバー３０を把持部４側へ傾動させることによって係合部３１を起立させ、アーム３６の先端を係合部３１から脱離させる。そして、前同様、支持部材２を本体１の底壁１ａ側へ傾倒させ、係止部材１５を止め具１６に係止させてロックした後、扉１ｅ，１ｅを閉じる。このとき、扉１ｅ，１ｅの閉止動作に追従してアーム３６が第２付勢部材３７の付勢力に抗して本体１内へ後退する。
【実施例４】
【００６０】
図８は、実施例４に係るタンスの使用状態を示す斜視図であり、支持部材  の姿勢保持手段を変更してある。また、図９は、図８に示したタンスの上部がわ側断面図である。なお、両図中、図２及び図５に示した部分に対応する部分には同じ番号を付してその説明を省略する。また、ロック部は省略してある。
【００６１】
図８及び図９に示した如く、支持部材２の長手方向の中途部には、本体１の底壁１ａの外寸より少し小さい外寸の矩形環状の頬杖部材４０が揺動自在に垂下してあり、頬杖部材４０は、図示しないバネによってその先端が本体１の後壁１ｄ側へ向かうように付勢されている。
【００６２】
本体１の一側壁１ｂの開口１１近傍であって、適宜の高さ位置には、例えば半側糸巻き車形状の案内部材４１が突設してあり、該案内部材４１には、一端が頬杖部材４０に連結してあり、当該頬杖部材４０を引っ張る紐状部材４２が掛け回してある。また、本体１の後壁１ｄには、側面視が略逆三角形状をなし頬杖部材４０を担持すべく後壁１ｄの幅方向へ距離を隔てて配した複数対の担持部４５，４５、４５，４５、…，…が、高さ方向へ適宜の距離を隔てて突設してある。
【００６３】
このようなタンスにあっては、把持部４を把持して支持部材２を適宜の横姿勢になるまで引き上げる。このとき、担持部４５，４５、４５，４５、…，…は側面視が略逆三角形状をなしているため、支持部材２の引き上げに追従する頬杖部材４０は、担持部４５，４５、４５，４５、…，…を容易に乗り越えて上昇することができる。そして、その横姿勢で支持部材２を少し降下させることによって、頬杖部材４０を直下の担持部４５，４５上に担持させ、これによって支持部材２を当該横姿勢に保持させる。
【００６４】
被収納物Ａ，Ａ，…の出し入れが終了すると、把持部４を把持すると共に、紐状部材４２の他端を引き下げることによって頬杖部材４０を担持部４５，４５から脱離させ、その状態で支持部材２を本体１の後壁１ｄ側へ傾倒させた後、扉１ｅ，１ｅを閉じる。
【００６５】
これによって、前同様、把持部４を把持しなくても支持部材２が横姿勢に保持されるため、被収納物の選択及び出し入れをより容易に行なうことができる。
【実施例５】
【００６６】
図１０は、実施例５に係るタンスの収納状態を示す斜視図であり、支持部材２の姿勢保持手段を更に変更してある。また、図１１は、図１０に示したタンスの使用状態における内部構成を示す平面図である。なお、両図中、図２及び図５に示した部分に対応する部分には同じ番号を付してその説明を省略する。
【００６７】
図１０及び図１１に示した如く、支持部材２の表面であって、長手方向の略中央位置から本体１の両側壁１ｂ，１ｂへそれぞれ、支持部材２の姿勢を保持する二重管状の第２アーム６２，６２が、支持部材２の長手方向と略直交するように配設してあり、第２アーム６２，６２の基端はアーム固定具６４によって支持部材２に固定してある。第２アーム６２，６２の外筒６２ａ，６２ａ内にはそれぞれ、バネ６２ｃ，６２ｃが挿入してあり、このバネ６２ｃ，６２ｃによって第２アーム６２，６２の内筒６２ｂ，６２ｂの先端部が進退可能に外筒６２ａ，６２ａの先端から突出している。両内筒６２ｂ，６２ｂの基端部には紐状部材６３の一端が固定してあり、紐状部材６３は、支持部材２の先端近傍まで延設してある。
【００６８】
支持部材２の先端に設けた把持部４に対向してコ字状のレバー６０が傾動可能に配置してあり、このレバー６０に前述した紐状部材６３の他端が繋止してある。そして、レバー６０を傾動させた場合、紐状部材６３がレバー６０側へ引っ張られ、第２アーム６２，６２の内筒６２ｂ，６２ｂの先端部を外筒６２ａ，６２ａ内へ後退させるようになっている。
【００６９】
ところで、支持部材２の揺動に伴って該支持部材２に固定された第２アーム６２，６２も揺動し得るが、本体１の両側壁１ｂ，１ｂの両第２アーム６２，６２の揺動軌道上には、円弧帯状の基板６５，６５がそれぞれ固着してある。両基板６５，６５には、第２アーム６２，６２の内筒６２ｂ，６２ｂを入出可能に嵌合させる複数の凹部６６，６６，…が、前記揺動軌道上に適宜の距離を隔てて設けてあり、両基板６５，６５の最も下位に位置する凹部６６，６６に第２アーム６２，６２の内筒６２ｂ，６２ｂを嵌合させた場合、支持部材２の先端部が本体１の底壁１ａ側へ、支持部材２が本体１内に収納可能に傾倒するようになっている。
【００７０】
このようなタンスにあっては、把持部４を把持すると共にレバー６０を把持部４側へ傾動させて、両基板６５，６５の最も下位に位置する凹部６６，６６から第２アーム６２，６２の内筒６２ｂ，６２ｂを抜出させ、その状態で、支持部材２を適宜の横姿勢になるまで引き上げた後、その近傍の凹部６６，６６に第２アーム６２，６２の内筒６２ｂ，６２ｂを位置あわせし、レバー６０を開放して、当該凹部６６，６６に第２アーム６２，６２の内筒６２ｂ，６２ｂを嵌入させることによって、支持部材２をその姿勢を保持させる。
【００７１】
被収納物の出し入れが終了すると、前述した操作と逆の操作をして、把持部４を把持すると共にレバー６０を把持部４側へ傾動させて、両基板６５，６５の最も下位に位置する凹部６６，６６に第２アーム６２，６２の内筒６２ｂ，６２ｂを嵌入させることによって、支持部材２をその先端部が本体１の底壁１ａ側へ、支持部材２が本体１内に収納し得るように傾倒させ後、扉１ｅ，１ｅを閉じる。
【００７２】
これによって、前同様、把持部４を把持しなくても支持部材２が横姿勢に保持されるため、被収納物の選択及び出し入れをより容易に行なうことができる。
【００７３】
一方、本実施例に係るタンスでは、両基板６５，６５に設けた凹部６６，６６，…及び第２アーム６２，６２は、支持部材２の姿勢を保持する機能と共に、支持部材２の跳ね上がりをロックする機能も果たしており、製造コストを軽減させることができる。
【００７４】
なお、本実施例では、基板６５，６５を本体１の両側壁１ｂ，１ｂに固定した場合に付いて示したが、本発明はこれに限らず、基板６５，６５の上端側が開口１１から突出可能に揺動するようにしてもよい。これによって、本体１の奥行き寸法を更に狭くすることができる。
【００７５】
なお、支持部材２の付勢手段の構成及び姿勢保持手段の構成は前述した各実施例の構成に限られず、種々の構成を採用することができる。また、前述した各実施例では、本発明をタンスに適用した場合について説明したが、本発明はクローゼット等の他の衣類収納家具にも適用し得、更に、衣類に限らず、道具類又は乾物等の他の被収納物を収納する収納器に適用し得ることはいうまでもない。
【図面の簡単な説明】
【００７６】
【図１】本発明に係る収納器の一例たるタンスの衣類収納状態における内部構造を示す斜視図である。
【図２】図１に示したタンスの使用状態を示す側断面図である。
【図３】図１に示したタンスの使用状態を示す斜視図である。
【図４】図１に示した支持部材及び吊下バーの一部破断正面断面図である。
【図５】実施例２に係るタンスの衣類収納状態における内部構造を示す斜視図である。
【図６】実施例３に係るタンスの使用状態を示す斜視図である。
【図７】図６に示したタンスの側断面図である。
【図８】実施例４に係るタンスの使用状態を示す斜視図である。
【図９】図８に示したタンスの上部がわの側断面図である。
【図１０】実施例５に係るタンスの収納状態を示す斜視図である。
【図１１】図１０に示したタンスの使用状態における内部構造を示す平面図である。
【符号の説明】
【００７７】
１    本体
２    支持部材
３    枢軸
４    把持部
５    吊下バー
７    横バー
８    レバー
１０    エアスプリング
１１    開口
１３    ロック部
１５    係止部材
１６    止め具
２１    コイルバネ
３１    係合部
３６    アーム
３７    第２付勢部材
４０    頬杖部材
４１    案内部材
４２    紐状部材
４５    担持部
５１    外筒
Ａ    被収納物
【図１】
2006230759.tif 000003
【図２】
2006230759.tif 000004
【図３】
2006230759.tif 000005
【図４】
2006230759.tif 000006
【図５】
2006230759.tif 000007
【図６】
2006230759.tif 000008
【図７】
2006230759.tif 000009
【図８】
2006230759.tif 000010
【図９】
2006230759.tif 000011
【図１０】
2006230759.tif 000012
【図１１】
2006230759.tif 000013